(57)【要約】【課題】有機ＥＬ素子のリセット駆動を行う場合に、サージ電流を抑制することで高周波ノイズの発生を防止する。【解決手段】各走査電極Ｒｏｗ1〜Ｒｏｗ4とＧＮＤの間に電流制限抵抗４を備える。これにより、サージ電流が電流制限抵抗４によって抑制され、サージ電流のピーク値が抑えられる。具体的には、リセット開始状態となるときにすべての走査電極Ｒｏｗ1〜Ｒｏｗ4を通じて流れるサージ電流を制限できると共に、リセット解除状態のときに走査電極選択スイッチＲＳ1〜ＲＳ4のうちオフのままとされるものの走査電極Ｒｏｗ1〜Ｒｏｗ4を通じて流れるサージ電流を制限できる。よって、サージ電流に起因して高周波ノイズが発生することを防止することが可能となる。【選択図】図１
2007093729.tif 000002
【特許請求の範囲】
【請求項１】
複数の走査電極（Ｒｏｗ1〜Ｒｏｗ4）それぞれに接続される複数の走査線と複数のデータ電極（Ｃｏｌ1〜Ｃｏｌ4）それぞれに接続される複数本のデータ線との各交点に、マトリクス状に配置された複数の有機ＥＬ素子（Ｅ1,1〜Ｅ4,4）と、
前記複数の走査電極（Ｒｏｗ1〜Ｒｏｗ4）および前記複数のデータ電極（Ｃｏｌ1〜Ｃｏｌ4）への印加電圧を制御することで、前記複数本の走査線及び前記複数本のデータ線を介して、前記複数の有機ＥＬ素子（Ｅ1,1〜Ｅ4,4）のうちの選択されたものに対して駆動電圧を印加し、該駆動電圧が印加された有機ＥＬ素子（Ｅ1,1、Ｅ4,4）を発光させる駆動部（１〜３）を備え、
前記駆動部（１〜３）は、前記複数の有機ＥＬ素子（Ｅ1,1〜Ｅ4,4）のうち選択されたものを発光させる走査期間とその次の走査期間との間に、前記走査期間中に前記複数の有機ＥＬ素子（Ｅ1,1〜Ｅ4,4）に形成される寄生容量（Ｃ1,1〜Ｃ4,4）に充電された電荷を放電するリセット期間を有する単純マトリクス方式の有機ＥＬの駆動回路であって、
前記リセット期間中に、前記複数の走査電極（Ｒｏｗ1〜Ｒｏｗ4）を通じて、寄生容量（Ｃ1,1〜Ｃ4,4）に充電された電荷を放電する電流が流れる経路中に電流制限手段（４、４ａ〜４ｄ、５）が備えられていることを特徴とする有機ＥＬ駆動回路。
【請求項２】
複数の走査電極（Ｒｏｗ1〜Ｒｏｗ4）それぞれに接続される複数の走査線と複数のデータ電極（Ｃｏｌ1〜Ｃｏｌ4）それぞれに接続される複数本のデータ線との各交点に、マトリクス状に配置された複数の有機ＥＬ素子（Ｅ1,1〜Ｅ4,4）と、
前記複数の走査電極（Ｒｏｗ1〜Ｒｏｗ4）および前記複数のデータ電極（Ｃｏｌ1〜Ｃｏｌ4）への印加電圧を制御することで、前記複数本の走査線及び前記複数本のデータ線を介して、前記複数の有機ＥＬ素子（Ｅ1,1〜Ｅ4,4）のうちの選択されたものに対して駆動電圧を印加し、該駆動電圧が印加された有機ＥＬ素子（Ｅ1,1、Ｅ4,4）を発光させる駆動部（１〜３）を備え、
前記駆動部（１〜３）は、前記複数の有機ＥＬ素子（Ｅ1,1〜Ｅ4,4）のうち選択されたものを発光させる走査期間とその次の走査期間との間に、前記走査期間中に前記複数の有機ＥＬ素子（Ｅ1,1〜Ｅ4,4）に形成される寄生容量（Ｃ1,1〜Ｃ4,4）に充電された電荷を放電するリセット期間を有する単純マトリクス方式の有機ＥＬの駆動回路であって、
前記複数の走査電極（Ｒｏｗ1〜Ｒｏｗ4）から、寄生容量（Ｃ1,1〜Ｃ4,4）に所定の電圧（Ｖｒｏｗ）を印加する充電電流の経路中に、電流制限手段（４、４ａ〜４ｄ、５）が備えられていることを特徴とする有機ＥＬ駆動回路。
【請求項３】
前記駆動部（１〜３）は、前記複数の走査電極（Ｒｏｗ1〜Ｒｏｗ4）に対して印加する電圧の切替を行う走査電極選択スイッチ（ＲＳ1〜ＲＳ4）を備えた走査電極駆動回路（２）を有し、該走査電極駆動回路（２）中に前記電流制限手段（４、４ａ〜４ｄ、５）が備えられていることを特徴とする請求項１または２に記載の有機ＥＬ駆動回路。
【請求項４】
前記走査電極駆動回路（２）における前記走査電極選択スイッチ（ＲＳ1〜ＲＳ4）はＩＣに形成されており、該ＩＣ内部において前記電流制限手段（４、４ａ〜４ｄ、５）が前記複数の走査電極（Ｒｏｗ1〜Ｒｏｗ4）それぞれに対して形成されていることを特徴とする請求項３に記載の有機ＥＬ駆動回路。
【請求項５】
前記電流制限手段は、電流制限抵抗（４、４ａ〜４ｄ）であることを特徴とする請求項１ないし４のいずれか１つに記載の有機ＥＬ駆動回路。
【請求項６】
前記電流制限手段は、インダクタ（５）であることを特徴とする請求項１ないし４のいずれか１つに記載の有機ＥＬ駆動回路。
【請求項７】
請求項１ないし６のいずれか１つに記載の有機ＥＬ駆動回路が備えられ、前記複数の有機ＥＬ素子（Ｅ1,1〜Ｅ4,4）により構成される有機ＥＬパネルにて表示を行う有機ＥＬ表示器であって、
前記有機ＥＬパネルを構成する１つ１つの画素（１０）は、複数のサブピクセル（１０ａ〜１０ｃ）で構成されていると共に、該複数のサブピクセル（１０ａ〜１０ｃ）のそれぞれが前記複数の有機ＥＬ素子（Ｅ1,1〜Ｅ4,4）の１つ１つによって構成されており、
前記有機ＥＬパネルの周辺の明るさが明るいほど前記サブピクセル（１０ａ〜１０ｃ）の総面積が大きくなるように、前記複数のサブピクセル（１０ａ〜１０ｃ）が選択的に発光させられるように構成されていることを特徴とする有機ＥＬ表示器。
【請求項８】
前記複数のサブピクセル（１０ａ〜１０ｃ）は、すべて異なる面積で構成されていることを特徴とする請求項７に記載の有機ＥＬ表示器。
【請求項９】
請求項７または８に記載の有機ＥＬ表示器は、車両に搭載されるものであることを特徴とする車両用有機ＥＬ表示器。
【請求項１０】
複数の画素（１０）を有する有機ＥＬパネルが備えられ、
該有機ＥＬパネルを構成する１つ１つの画素（１０）が複数のサブピクセル（１０ａ〜１０ｃ）で構成されていると共に、該複数のサブピクセル（１０ａ〜１０ｃ）のそれぞれが有機ＥＬ素子（Ｅ1,1〜Ｅ4,4）によって構成された有機ＥＬ表示器の駆動方法において、
前記有機ＥＬパネルの周辺の明るさが明るいほど前記サブピクセル（１０ａ〜１０ｃ）の総面積が大きくなるように、前記複数のサブピクセル（１０ａ〜１０ｃ）を選択的に発光させることを特徴とする有機ＥＬ表示器の駆動方法。
【発明の詳細な説明】
【技術分野】
【０００１】
本発明は、有機ＥＬ素子を発光させるための駆動回路、有機ＥＬ表示器およびその駆動方法に関するものである。
【背景技術】
【０００２】
有機ＥＬ表示器では、発光画素（発光対象となる有機ＥＬ素子）を所定期間毎に切替えて駆動することで、所望の表示を行う。このように有機ＥＬ素子の駆動を行うに際し、走査期間中に各有機ＥＬ素子の寄生容量に電荷が蓄えられるため、例えば特許文献１に示されるように、発光させる有機ＥＬ素子を切替えのタイミングで、その電荷を放電させるリセット駆動を行っている。
【０００３】
リセット駆動を用いた場合、ある走査が次の走査線へ移る際に、すべての走査線（陰極線）とすべてのデータ線（陽極線）を一度アース電位（０Ｖ）に落としてリセットする。これにより、前の走査期間に有機ＥＬ素子の寄生容量に充電された電荷を放電し、次の走査の発光画素の寄生容量に対しての充電期間を短くする。すなわち、寄生容量に充電された電荷の正負が次の走査期間に印加される電圧の正負と逆のままだと充電期間が長くなるため、寄生容量に充電された電荷を放電しておくことで、次の走査期間における寄生容量の充電期間を短くできる。これにより、発光画素の波形の立ち上がりが高速になるようにしている。
【０００４】
この従来の有機ＥＬ素子の駆動方法について、図１６〜図２０を用いて説明する。図１６〜図１９は、いわゆる単純マトリクス方式の有機ＥＬ素子を駆動するための有機ＥＬ駆動回路の作動説明図である。実際には、画素数分の有機ＥＬ素子がマトリクス状に並べられるのであるが、ここで簡便化して４×４のマトリクスを示してある。
【０００５】
図１６〜図１９は、まず走査電極Ｒｏｗ1を走査して、有機ＥＬ素子Ｅ1,1とＥ1,2を光らせたのち、リセット期間をおいて、次の走査に移り、走査電極Ｒｏｗ2を走査して、有機ＥＬ素子Ｅ2,3とＥ2,4を光らせるという発光動作を行う場合の作動を示している。図２０は、この場合の走査電極Ｒｏｗ1、Ｒｏｗ2、データ電極Ｃｏｌ1、Ｃｏｌ2およびデータ電極Ｃｏｌ3、Ｃｏｌ4の電圧波形を示したタイミングチャートであり、図１６〜図１９は、図２０中のタイミング（１）〜（４）における有機ＥＬ駆動回路中の各部の様子を示したものに相当する。
【０００６】
〔タイミング（１）：リセット前状態（発光画素選択期間）〕
図１６に示されるリセット前状態においては、走査選択スイッチＲＳ1はオン（選択）し、アース電位（０Ｖ）に固定となる。他の走査電極選択スイッチＲＳ2〜ＲＳ4はオフ（非選択）し、逆バイアス電圧Ｖｒｏｗを印加している。
【０００７】
また、データ選択スイッチＣＳ1、ＣＳ2はオン（発光）し、定電流制御回路ＣＣ1、ＣＣ2から順バイアスを印加する。他のデータ選択スイッチＣＳ3、ＣＳ4はオフ（非発光）し、アース電位（０Ｖ）に固定となる。
【０００８】
この際、走査電極選択スイッチＲＳ1〜ＲＳ4のうち選択となっているもの（ＲＳ1）とデータ選択スイッチＣＳ1〜ＣＳ4のうち発光となっているもの（ＣＳ1、ＣＳ2）の交点に存在する画素の寄生容量Ｃ1,1、Ｃ1,2、に対しては電位差Ｖｃｏｌ’（＝Ｖｃｏｌから定電流源ＣＣ1〜ＣＣ4での電圧ドロップ、及び、データ側、走査側のそれぞれの配線抵抗による電圧ドロップを差し引いたもの）で充電されている。
【０００９】
また、走査電極選択スイッチＲＳ1〜ＲＳ4のうち非選択となっているもの（ＲＳ2〜ＲＳ4）とデータ選択スイッチＣＳ1〜ＣＳ4のうち非発光となっているもの（ＣＳ3、ＣＳ4）の交点に存在する画素の寄生容量Ｃ2,3、Ｃ2,4、Ｃ3,3、Ｃ3,4、Ｃ4,3、Ｃ4,4に対しては電位差Ｖｒｏｗで充電されている。
【００１０】
そして、走査電極選択スイッチＲＳ1〜ＲＳ4のうち非選択となっているもの（ＲＳ2〜ＲＳ4）とデータ選択スイッチＣＳ1〜ＣＳ4のうち発光となっているもの（ＣＳ1、ＣＳ2）の交点に存在する画素の寄生容量Ｃ2,1、Ｃ2,2、Ｃ3,1、Ｃ3,2、Ｃ4,1、Ｃ4,2に対しては電位差（Ｖｒｏｗ−Ｖｃｏｌ’）で充電され、Ｖｒｏｗに対して負の電荷となる場合もある。
【００１１】
このとき、（Ｖｒｏｗ−Ｖｃｏｌ’）はたかだか数Ｖ程度であるため、寄生容量Ｃ2,1、Ｃ2,2、Ｃ3,1、Ｃ3,2、Ｃ4,1、Ｃ4,2の画素の電荷は、寄生容量Ｃ2,3をはじめとする電位差Ｖｃｏｌ’や電位差ｒｏｗで充電されている画素の電荷に比べると非常に小さいものとなる。
【００１２】
なお、走査電極選択スイッチＲＳ1〜ＲＳ4のうち選択となっているもの（ＲＳ1）とデータ選択スイッチＣＳ1〜ＣＳ4のうち非発光となっているもの（ＣＳ3、ＣＳ4）の交点に存在する画素の寄生容量Ｃ1,3、Ｃ1,4に対しては電位差がほぼ０Ｖであるため、電荷は充電されない。
【００１３】
〔タイミング（２）：リセット開始〕
図１７に示されるリセット開始状態においては、走査選択スイッチＲＳ1はオンのままアース電位（０Ｖ）に固定となる。他の走査電極選択スイッチＲＳ2〜ＲＳ4はオフがすべてオンに切替わり、アース電位（０Ｖ）に固定となる。データ選択スイッチはＣＳ1、ＣＳ2がオフ（非発光）し、アース電位（０Ｖ）に固定となる。他のデータ選択スイッチはオフ（非発光）のままアース電位（０Ｖ）に固定となる。
【００１４】
この際、寄生容量Ｃ1,1、Ｃ1,2に蓄積していた順バイアスの電荷は、走査電極Ｒｏｗ1からデータ電極Ｃｏｌ1、Ｃｏｌ2を通じる経路で、走査電極駆動回路２側からデータ電極駆動回路１側へ抜けていく（破線参照）。寄生容量Ｃ2,1、Ｃ2,2、Ｃ3,1、Ｃ3,2、Ｃ4,1、Ｃ4,2に蓄積していた逆バイアスの電荷は、データ電極Ｃｏｌ1、Ｃｏｌ2から走査電極Ｒｏｗ2〜Ｒｏｗ4を通じる経路で、データ電極駆動回路１側から走査電極駆動回路２側から抜けていく（一点鎖線参照）。また、寄生容量Ｃ2,3、Ｃ2,4、Ｃ3,3、Ｃ3,4、Ｃ4,3、Ｃ4,4に蓄積していた逆バイアスの電荷は、データ電極Ｃｏｌ3、Ｃｏｌ4から走査電極Ｒｏｗ2〜Ｒｏｗ4を通じる経路で、データ電極駆動回路１側から走査電極駆動回路２側から抜けていく（ニ点鎖線参照）。
【００１５】
〔タイミング（３）：リセット期間〕
図１８に示されるリセット期間中には、すべての走査電極Ｒｏｗ1〜Ｒｏｗ4およびデータ電極Ｃｏｌ1〜Ｃｏｌ4がアース電位（０Ｖ）に固定されるため、どこにも電荷の移動は発生しない。
【００１６】
〔タイミング（４）：リセット解除〕
図１９に示されるリセット解除状態においては、走査選択スイッチＲＳ2はオンのままアース電位（０Ｖ）に固定となる。他の走査電極選択スイッチＲＳ1、ＲＳ3、ＲＳ4はオンがすべてオフに切替わり、逆バイアス電圧Ｖｒｏｗが印加開始される。データ選択スイッチＣＳ1、ＣＳ2はオフ（非発光）のまま、アース電位（０Ｖ）に固定となる。発光に切り替わるデータ選択スイッチＣＳ3、ＣＳ4はオフ（非発光）からオンに切替わり、定電流制御回路ＣＣ3、ＣＣ4から順バイアスが印加開始される。
【００１７】
この際、走査電極選択スイッチＲＳ1〜ＲＳ4のうち選択となっているもの（ＲＳ2）とデータ選択スイッチＣＳ1〜ＣＳ4のうち発光となっているもの（ＣＳ3、ＣＳ4）の交点に存在する画素の寄生容量Ｃ2,3、Ｃ2,4に対しては、データ電極Ｃｏｌ3、Ｃｏｌ4から走査電極Ｒｏｗ2を通じる経路により、電位差Ｖｃｏｌ’で順バイアスの電荷を充電しに行く（破線参照）。
【００１８】
走査電極選択スイッチＲＳ1〜ＲＳ4のうち非選択となっているもの（ＲＳ1、ＲＳ3、ＲＳ4）とデータ選択スイッチＣＳ1〜ＣＳ4のうち発光となっているもの（ＣＳ3、ＣＳ4）の交点に存在する画素の寄生容量Ｃ1,3、Ｃ1,4、Ｃ3,3、Ｃ3,4、Ｃ4,3、Ｃ4,4に対しては、走査電極Ｒｏｗ1、Ｒｏｗ3、Ｒｏｗ4からデータ電極Ｃｏｌ3、Ｃｏｌ4を通じる経路により、逆バイアスの電荷を充電しに行く（一点鎖線参照）。このため、最終的に寄生容量Ｃ1,3、Ｃ1,4、Ｃ3,3、Ｃ3,4、Ｃ4,3、Ｃ4,4は電位差（Ｖｒｏｗ−Ｖｃｏｌ’）で充電される。
【００１９】
また、走査電極選択スイッチＲＳ1〜ＲＳ4のうち非選択となっているもの（ＲＳ1、ＲＳ3、ＲＳ4）とデータ選択スイッチＣＳ1〜ＣＳ4のうち非発光となっているもの（ＣＳ1、ＣＳ2）の交点に存在する画素の寄生容量Ｃ1,1、Ｃ1,2、Ｃ3,1、Ｃ3,2、Ｃ4,1、Ｃ4,2に対しては、それぞれの走査電極Ｒｏｗ1、Ｒｏｗ3、Ｒｏｗ4からデータ電極Ｃｏｌ1、Ｃｏｌ2を通じる経路にて、電位差Ｖｒｏｗで逆バイアスの電荷を充電しに行く（二点鎖線参照）。
【００２０】
なお、走査電極選択スイッチＲＳ1〜ＲＳ4のうち選択となっているもの（ＲＳ2）とデータ選択スイッチＣＳ1〜ＣＳ4のうち非発光となっているもの（ＣＳ1、ＣＳ2）の交点に存在する画素の寄生容量Ｃ2,1、Ｃ2,2に対しては電位差がほぼ０Ｖであるため、電荷は充電されない。
【００２１】
以上のようにして、有機ＥＬ素子の駆動が行われる。図２１は、これら一連のタイミングにおける走査電極Ｒｏｗ1〜Ｒｏｗ4およびデータ電極Ｃｏｌ1〜Ｃｏｌ4の電位と走査電極Ｒｏｗ1〜Ｒｏｗ4に流れる電流の関係を示したタイミングチャートである。
【特許文献１】特許第３３１４０４６号公報
【発明の開示】
【発明が解決しようとする課題】
【００２２】
しかしながら、上述したリセット駆動を用いた場合、毎走査ごとに有機ＥＬ素子の寄生容量に充電された電荷を放電するために図２１に示したようなサージ状の電流が流れることになる。また、リセットが解除された瞬間に、発光に移行する画素に対して順バイアスの電荷を充電に行くためにサージ電流が流れる。例えば図２１に示すタイミングで駆動させた場合、５μＳ程度のリセット期間が設定されていたとすると、上記サージ電流に起因した２００ｋＨｚの高周波ノイズが発生する。そのため、車載用表示器として有機ＥＬを用いた場合、カーラジオ等への輻射ノイズが問題となる。
【００２３】
本発明は上記点に鑑みて、有機ＥＬ素子のリセット駆動を行う場合に、サージ電流を抑制することで高周波ノイズの発生を防止することを目的とする。
【課題を解決するための手段】
【００２４】
上記目的を達成するため、本発明では、リセット期間中に、複数の走査電極（Ｒｏｗ1〜Ｒｏｗ4）を通じて、寄生容量（Ｃ1,1〜Ｃ4,4）に充電された電荷を放電する電流が流れる経路中に電流制限手段（４、４ａ〜４ｄ、５）が備えられていることを特徴としている。
【００２５】
このように、放電電流が流れる経路中に電流制限手段（４、４ａ〜４ｄ、５）を備えることで、リセット期間に移行するときに発生するサージ電流のピーク値を抑えることが可能となる。これにより、サージ電流に起因して高周波ノイズが発生することを防止することが可能となる。
【００２６】
また、複数の走査電極（Ｒｏｗ1〜Ｒｏｗ4）に対して所定の電圧（Ｖｒｏｗ）を印加する経路中に、電流制限手段（４、４ａ〜４ｄ、５）を備えることもできる。このようにした場合にも、上記と同様の効果を得ることができる。
【００２７】
これらの場合において、駆動部（１〜３）として、複数の走査電極（Ｒｏｗ1〜Ｒｏｗ4）に対して印加する電圧の切替を行う走査電極選択スイッチ（ＲＳ1〜ＲＳ4）を備えた走査電極駆動回路（２）を有し、該走査電極駆動回路（２）中に電流制限手段（４、４ａ〜４ｄ、５）が備えられた構成を採用することができる。
【００２８】
この場合、走査電極駆動回路（２）における走査電極選択スイッチ（ＲＳ1〜ＲＳ4）はＩＣに形成されてるのであれば、ＩＣ内部において電流制限手段（４、４ａ〜４ｄ、５）が複数の走査電極（Ｒｏｗ1〜Ｒｏｗ4）それぞれに対して形成された構成とすることができる。
【００２９】
なお、電流制限手段としては、例えば電流制限抵抗（４、４ａ〜４ｄ）やインダクタ（５）を適用することができる。
【００３０】
また、本発明を複数の有機ＥＬ素子（Ｅ1,1〜Ｅ4,4）により構成される有機ＥＬパネルにて表示を行う有機ＥＬ表示器に適用することもできる。この場合、有機ＥＬパネルを構成する１つ１つの画素（１０）を複数のサブピクセル（１０ａ〜１０ｃ）で構成すると共に、複数のサブピクセル（１０ａ〜１０ｃ）のそれぞれが複数の有機ＥＬ素子（Ｅ1,1〜Ｅ4,4）の１つ１つによって構成されるようにする。このような構成とし、有機ＥＬパネルの周辺の明るさが明るいほどサブピクセル（１０ａ〜１０ｃ）の総面積が大きくなるように、複数のサブピクセル（１０ａ〜１０ｃ）が選択的に発光させるようにすれば、階調や調光を適切に行うことが可能となる。
【００３１】
この場合、複数のサブピクセル（１０ａ〜１０ｃ）をすべて異なる面積で構成すれば、サブピクセル（１０ａ〜１０ｃ）のどれを発光させるかを変えるだけで、発光させるサブピクセル（１０ａ〜１０ｃ）の総面積を変えることができる。
【００３２】
このような有機ＥＬ表示器は、特に、車両に搭載されるような周辺の明るさが大きく変化するものに適用されると好ましい。
【００３３】
なお、上記各手段の括弧内の符号は、後述する実施形態に記載の具体的手段との対応関係を示すものである。
【発明を実施するための最良の形態】
【００３４】
以下、本発明の実施形態について図に基づいて説明する。なお、以下の各実施形態相互において、互いに同一もしくは均等である部分には、図中、同一符号を付してある。
【００３５】
（第１実施形態）
図１は、本発明の第１実施形態が適用された有機ＥＬ駆動回路の概略構成を示した回路図である。以下、この図を参照して、本実施形態の有機ＥＬ駆動回路について説明する。
【００３６】
図１に示されるように、有機ＥＬ駆動回路には、駆動部に相当するデータ電極駆動回路１、走査電極駆動回路２および制御回路３と、これらから引き出された複数の走査線および複数のデータ線の交点それぞれに配置されたマトリクス状の複数の有機ＥＬ素子Ｅ1,1〜Ｅ4,4が備えられている。複数の有機ＥＬ素子Ｅ1,1〜Ｅ4,4は、実際には、画素数分マトリクス状に並べられるのであるが、ここでは簡便化して４×４のマトリクスとして示してある。
【００３７】
データ電極駆動回路１は、データ電極Ｃｏｌ1〜Ｃｏｌ4に対して印加する電位を制御するためのものである。データ電極駆動回路１には、データ電極Ｃｏｌ1〜Ｃｏｌ4それぞれに対して備えられた定電流源ＣＣ1〜ＣＣ4と、データ電極選択スイッチＣＳ1〜ＣＳ4が備えられている。
【００３８】
定電流源ＣＣ1〜ＣＣ4は、所定電源１ａから印加される電圧に基づいて定電流を形成する。データ電極選択スイッチＣＳ1〜ＣＳ4は、各データ電極Ｃｏｌ1〜Ｃｏｌ4側が可動接点とされ、ＧＮＤ（０Ｖ）に接続される固定接点と定電流源ＣＣ1〜ＣＣ4に接続される固定接点のいずれか一方に可動接点を接触させられるものとなっている。
【００３９】
走査電極駆動回路２は、走査電極Ｒｏｗ1〜Ｒｏｗ4に対して印加する電位を制御するためのものである。走査電極駆動回路２には、データ電極選択スイッチＣＳ1〜ＣＳ4に加えて電流制限手段に相当する電流制限抵抗４が備えられている。
【００４０】
走査電極選択スイッチＲＳ1〜ＲＳ4は、各走査電極Ｒｏｗ1〜Ｒｏｗ4側が可動接点とされ、電流制限抵抗４を介してＧＮＤ（０Ｖ）に接続される固定接点と所定の電圧Ｖｒｏｗを印加する所定電源２ａに接続される固定接点のいずれか一方に可動接点を接触させられるものとなっている。
【００４１】
制御回路３は、データ電極駆動回路１におけるデータ電極選択スイッチＣＳ1〜ＣＳ4および走査電極駆動回路２における走査電極選択スイッチＲＳ1〜ＲＳ4のオンオフを駆動するものである。具体的には、発光画素として選択された画素を発光させ、その他の画素を非発光とするべく、データ電極選択スイッチＣＳ1〜ＣＳ4および走査電極選択スイッチＲＳ1〜ＲＳ4のオンオフを制御する。
【００４２】
続いて、図２〜図６を参照して、本実施形態の有機ＥＬ駆動回路による有機ＥＬ素子Ｅ1,1〜Ｅ4,4の駆動方法について説明する。
【００４３】
図２〜図５は、まず走査電極Ｒｏｗ1を走査して、有機ＥＬ素子Ｅ1,1とＥ1,2を光らせたのち、リセット期間をおいて、次の走査に移り、走査電極Ｒｏｗ2を走査して、有機ＥＬ素子Ｅ2,3とＥ2,4を光らせるという発光動作を行う場合の作動を示している。図６は、この場合の走査電極Ｒｏｗ1、Ｒｏｗ2、データ電極Ｃｏｌ1、Ｃｏｌ2およびデータ電極Ｃｏｌ3、Ｃｏｌ4の電圧波形を示したタイミングチャートであり、図２〜図５は、図６中のタイミング（１）〜（４）における有機ＥＬ駆動回路中の各部の様子を示したものに相当する。
【００４４】
〔タイミング（１）：リセット前状態（発光画素選択期間）〕
図２に示されるリセット前状態においては、走査選択スイッチＲＳ1はオン（選択）し、アース電位（０Ｖ）に固定となる。他の走査電極選択スイッチＲＳ2〜ＲＳ4はオフ（非選択）し、逆バイアス電圧Ｖｒｏｗを印加している。
【００４５】
また、データ選択スイッチＣＳ1、ＣＳ2はオン（発光）し、定電流制御回路ＣＣ1、ＣＣ2から順バイアスを印加する。他のデータ選択スイッチＣＳ3、ＣＳ4はオフ（非発光）し、アース電位（０Ｖ）に固定となる。
【００４６】
これにより、発光画素として選択された有機ＥＬ素子Ｅ1,1、Ｅ1,2に電流ｉ1,1、ｉ1,2が流れ、これらが発光する。
【００４７】
この際、走査電極選択スイッチＲＳ1〜ＲＳ4のうち選択となっているもの（ＲＳ1）とデータ選択スイッチＣＳ1〜ＣＳ4のうち発光となっているもの（ＣＳ1、ＣＳ2）の交点に存在する画素の寄生容量Ｃ1,1、Ｃ1,2、に対しては電位差Ｖｃｏｌ’（＝Ｖｃｏｌから定電流源ＣＣ1〜ＣＣ4での電圧ドロップ、及び、データ側、走査側のそれぞれの配線抵抗による電圧ドロップを差し引いたもの）で充電されている。
【００４８】
また、走査電極選択スイッチＲＳ1〜ＲＳ4のうち非選択となっているもの（ＲＳ2〜ＲＳ4）とデータ選択スイッチＣＳ1〜ＣＳ4のうち非発光となっているもの（ＣＳ3、ＣＳ4）の交点に存在する画素の寄生容量Ｃ2,3、Ｃ2,4、Ｃ3,3、Ｃ3,4、Ｃ4,3、Ｃ4,4に対しては電位差Ｖｒｏｗで充電されている。
【００４９】
そして、走査電極選択スイッチＲＳ1〜ＲＳ4のうち非選択となっているもの（ＲＳ2〜ＲＳ4）とデータ選択スイッチＣＳ1〜ＣＳ4のうち発光となっているもの（ＣＳ1、ＣＳ2）の交点に存在する画素の寄生容量Ｃ2,1、Ｃ2,2、Ｃ3,1、Ｃ3,2、Ｃ4,1、Ｃ4,2に対しては電位差（Ｖｒｏｗ−Ｖｃｏｌ’）で充電されている。
【００５０】
このとき、（Ｖｒｏｗ−Ｖｃｏｌ’）はたかだか数Ｖ程度であるため、寄生容量Ｃ2,1、Ｃ2,2、Ｃ3,1、Ｃ3,2、Ｃ4,1、Ｃ4,2の画素の電荷は、寄生容量Ｃ2,3をはじめとする電位差Ｖｃｏｌ’や電位差ｒｏｗで充電されている画素の電荷に比べると非常に小さいものとなる。
【００５１】
なお、走査電極選択スイッチＲＳ1〜ＲＳ4のうち選択となっているもの（ＲＳ1）とデータ選択スイッチＣＳ1〜ＣＳ4のうち非発光となっているもの（ＣＳ3、ＣＳ4）の交点に存在する画素の寄生容量Ｃ1,3、Ｃ1,4に対しては電位差がほぼ０Ｖであるため、電荷は充電されない。
【００５２】
〔タイミング（２）：リセット開始〕
図３に示されるリセット開始状態においては、走査選択スイッチＲＳ1はオンのままアース電位（０Ｖ）に固定となる。他の走査電極選択スイッチＲＳ2〜ＲＳ4はオフがすべてオンに切替わり、アース電位（０Ｖ）に固定となる。データ選択スイッチはＣＳ1、ＣＳ2がオフ（非発光）し、アース電位（０Ｖ）に固定となる。他のデータ選択スイッチはオフ（非発光）のままアース電位（０Ｖ）に固定となる。
【００５３】
この際、寄生容量Ｃ1,1、Ｃ1,2に蓄積していた順バイアスの電荷は、電流制限抵抗４を介して走査電極Ｒｏｗ1からデータ電極Ｃｏｌ1、Ｃｏｌ2を通じる経路で、走査電極駆動回路２側からデータ電極駆動回路１側へ抜けていく（破線参照）。寄生容量Ｃ2,1、Ｃ2,2、Ｃ3,1、Ｃ3,2、Ｃ4,1、Ｃ4,2に蓄積していた逆バイアスの電荷は、データ電極Ｃｏｌ1、Ｃｏｌ2から走査電極Ｒｏｗ2〜Ｒｏｗ4および電流制限抵抗４を通じる経路で、データ電極駆動回路１側から走査電極駆動回路２側から抜けていく（一点鎖線参照）。また、寄生容量Ｃ2,3、Ｃ2,4、Ｃ3,3、Ｃ3,4、Ｃ4,3、Ｃ4,4に蓄積していた逆バイアスの電荷は、データ電極Ｃｏｌ3、Ｃｏｌ4から走査電極Ｒｏｗ2〜Ｒｏｗ4および電流制限抵抗４を通じる経路で、データ電極駆動回路１側から走査電極駆動回路２側から抜けていく（ニ点鎖線参照）。
【００５４】
このように、各走査電極Ｒｏｗ1〜Ｒｏｗ4を通じて流れる電流は、すべて電流制限抵抗４を介して流れることになる。このため、各寄生容量Ｃ1,1〜Ｃ4,4から急激に大きな充電電流が流されることを防止することが可能となる。
【００５５】
〔タイミング（３）：リセット期間〕
図４に示されるリセット期間中には、すべての走査電極Ｒｏｗ1〜Ｒｏｗ4およびデータ電極Ｃｏｌ1〜Ｃｏｌ4がアース電位（０Ｖ）に固定されるため、どこにも電荷の移動は発生しない。
【００５６】
〔タイミング（４）：リセット解除〕
図５に示されるリセット解除状態においては、走査選択スイッチＲＳ2はオンのままアース電位（０Ｖ）に固定となる。他の走査電極選択スイッチＲＳ1、ＲＳ3、ＲＳ4はオンがすべてオフに切替わり、逆バイアス電圧Ｖｒｏｗが印加開始される。データ選択スイッチＣＳ1、ＣＳ2はオフ（非発光）のまま、アース電位（０Ｖ）に固定となる。発光に切り替わるデータ選択スイッチＣＳ3、ＣＳ4はオフ（非発光）からオンに切替わり、定電流制御回路ＣＣ3、ＣＣ4から順バイアスが印加開始される。
【００５７】
これにより、発光画素として選択された有機ＥＬ素子Ｅ2,3、Ｅ2,4に電流ｉ2,3、ｉ2,4が流れ、これらが発光する。
【００５８】
この際、走査電極選択スイッチＲＳ1〜ＲＳ4のうち選択となっているもの（ＲＳ2）とデータ選択スイッチＣＳ1〜ＣＳ4のうち発光となっているもの（ＣＳ3、ＣＳ4）の交点に存在する画素の寄生容量Ｃ2,3、Ｃ2,4に対しては、データ電極Ｃｏｌ3、Ｃｏｌ4から走査電極Ｒｏｗ2および電流制限抵抗４を通じる経路により、電位差Ｖｃｏｌ’で順バイアスの電荷を充電しに行く（破線参照）。
【００５９】
走査電極選択スイッチＲＳ1〜ＲＳ4のうち非選択となっているもの（ＲＳ1、ＲＳ3、ＲＳ4）とデータ選択スイッチＣＳ1〜ＣＳ4のうち発光となっているもの（ＣＳ3、ＣＳ4）の交点に存在する画素の寄生容量Ｃ1,3、Ｃ1,4、Ｃ3,3、Ｃ3,4、Ｃ4,3、Ｃ4,4に対しては、走査電極Ｒｏｗ1、Ｒｏｗ3、Ｒｏｗ4からデータ電極Ｃｏｌ3、Ｃｏｌ4を通じる経路により、逆バイアスの電荷を充電しに行く（一点鎖線参照）。このため、最終的に寄生容量Ｃ1,3、Ｃ1,4、Ｃ3,3、Ｃ3,4、Ｃ4,3、Ｃ4,4は電位差（Ｖｒｏｗ−Ｖｃｏｌ’）で充電される。
【００６０】
また、走査電極選択スイッチＲＳ1〜ＲＳ4のうち非選択となっているもの（ＲＳ1、ＲＳ3、ＲＳ4）とデータ選択スイッチＣＳ1〜ＣＳ4のうち非発光となっているもの（ＣＳ1、ＣＳ2）の交点に存在する画素の寄生容量Ｃ1,1、Ｃ1,2、Ｃ3,1、Ｃ3,2、Ｃ4,1、Ｃ4,2に対しては、それぞれの走査電極Ｒｏｗ1、Ｒｏｗ3、Ｒｏｗ4からデータ電極Ｃｏｌ1、Ｃｏｌ2を通じる経路にて、電位差Ｖｒｏｗで逆バイアスの電荷を充電しに行く（二点鎖線参照）。
【００６１】
なお、走査電極選択スイッチＲＳ1〜ＲＳ4のうち選択となっているもの（ＲＳ2）とデータ選択スイッチＣＳ1〜ＣＳ4のうち非発光となっているもの（ＣＳ1、ＣＳ2）の交点に存在する画素の寄生容量Ｃ2,1、Ｃ2,2に対しては電位差がほぼ０Ｖであるため、電荷は充電されない。
【００６２】
以上のようにして、有機ＥＬ素子の駆動が行われる。図７は、これら一連のタイミングにおける走査電極Ｒｏｗ1〜Ｒｏｗ4およびデータ電極Ｃｏｌ1〜Ｃｏｌ4の電位と走査電極Ｒｏｗ1〜Ｒｏｗ4に流れる電流の関係を示したタイミングチャートである。
【００６３】
この図に示されるように、リセット開始状態（図６のタイミング（２））とリセット解除状態（図６のタイミング（４））のときに、各走査電極Ｒｏｗ1〜Ｒｏｗ4を通じる経路にサージ電流が流れることになる。
【００６４】
しかしながら、上述したように、各走査電極Ｒｏｗ1〜Ｒｏｗ4とＧＮＤの間に電流制限抵抗４を備えるようにしているため、サージ電流が電流制限抵抗４によって抑制され、サージ電流のピーク値が抑えられる。具体的には、本実施形態の場合には、リセット開始状態となるときにすべての走査電極Ｒｏｗ1〜Ｒｏｗ4を通じて流れるサージ電流を制限できると共に、リセット解除状態のときに走査電極選択スイッチＲＳ1〜ＲＳ4のうちオフのままとされるものの走査電極Ｒｏｗ1〜Ｒｏｗ4を通じて流れるサージ電流を制限できる。
【００６５】
これにより、サージ電流に起因して高周波ノイズが発生することを防止することが可能となる。そして、車載用表示器として有機ＥＬ素子を用いた場合に、カーラジオ等への輻射ノイズが問題となることを防止できる。
【００６６】
（第２実施形態）
本発明の第２実施形態について説明する。図８は、本実施形態の有機ＥＬ駆動回路における走査電極駆動回路２のみを示した図である。本実施形態は、上記第１実施形態における電流制限抵抗４の形態を変更したものである。その他の構成に関しては第１実施形態と同様であるため、第１実施形態と異なる部分についてのみ説明する。
【００６７】
図８に示すように、本実施形態では走査電極Ｒｏｗ1〜Ｒｏｗ4が接続される各ラインごとに電流制限抵抗４ａ〜４ｄを設けている。すなわち、走査電極駆動回路２のうち走査電極選択スイッチＲＳ1〜ＲＳ4等に関してはＩＣによって構成されるが、このＩＣの内部に電流制限抵抗４ａ〜４ｄを備えたものとしている。
【００６８】
このように、走査電極Ｒｏｗ1〜Ｒｏｗ4が接続される各ラインごとに電流制限抵抗４ａ〜４ｄを備えることも可能である。
【００６９】
（第３実施形態）
本発明の第２実施形態について説明する。図９は、本実施形態の有機ＥＬ駆動回路における走査電極駆動回路２のみを示した図である。本実施形態は、上記第１実施形態における電流制限抵抗４を備える場所を変更したものである。その他の構成に関しては第１実施形態と同様であるため、第１実施形態と異なる部分についてのみ説明する。
【００７０】
図９に示すように、本実施形態では走査電極駆動回路２のうちの所定電源２ａから各走査電極選択スイッチＲＳ1〜ＲＳ4に至るまでの経路中、すなわち電圧Ｖｒｏｗが供給される電圧給ラインに電流制限抵抗４を備えた構成としている。
【００７１】
このように、所定電源２ａから各走査電極選択スイッチＲＳ1〜ＲＳ4に至るまでの経路中に電流制限抵抗４を備えた場合、各走査電極選択スイッチＲＳ1〜ＲＳ4がオン（選択）からオフ（非選択）に切替えられた瞬間、および、オフのままの状態とされているときに発生するサージ電流のピーク値を抑えることが可能となる。
【００７２】
したがって、本実施形態のように、所定電源２ａから各走査電極選択スイッチＲＳ1〜ＲＳ4に至るまでの経路中に電流制限抵抗４を備えた構成としても、第１実施形態と同様の効果を得ることができる。
【００７３】
（第４実施形態）
本発明の第４実施形態について説明する。図１０は、本実施形態の有機ＥＬ駆動回路における走査電極駆動回路２のみを示した図である。本実施形態は、上記第３実施形態における電流制限抵抗４の形態を変更したものである。その他の構成に関しては第３実施形態と同様であるため、第３実施形態と異なる部分についてのみ説明する。
【００７４】
図１０に示すように、本実施形態では走査電極Ｒｏｗ1〜Ｒｏｗ4が接続される各電源供給ラインごとに電流制限抵抗４ａ〜４ｄを設けている。すなわち、走査電極駆動回路２のうち走査電極選択スイッチＲＳ1〜ＲＳ4等に関してはＩＣによって構成されるが、このＩＣの内部に電流制限抵抗４ａ〜４ｄを備えたものとしている。
【００７５】
このように、走査電極Ｒｏｗ1〜Ｒｏｗ4が接続される各電源供給ラインごとに電流制限抵抗４ａ〜４ｄを備えることも可能である。
【００７６】
（第５実施形態）
本発明の第５実施形態について説明する。本実施形態は、上記第１〜第４実施形態で示した有機ＥＬ駆動回路が適用される有機ＥＬ表示器として好ましい形態を示したものである。
【００７７】
単純マトリクス方式の有機ＥＬ表示器において、走査線もしくはデータ線に印加するパルス印加期間（パルス幅）の増減や、さらに電流駆動素子（例えば、有機ＥＬや発光ダイオードのようなもの）を駆動する場合は、発光素子に流れる電流の増減により、一般的に階調や調光を成立させている。
【００７８】
さらに一般的な単純マトリクス表示器の階調や調光方法として、パルス幅制御（ＰＷＭ制御）や電流制御を行うものもある。
【００７９】
しかしながら、これらの方式では、走査１ラインあたりに光っている発光画素数や面積、画面のサイズによりドライバＩＣに対する負荷が変わったり、発光素子のバラツキや、ドライバＩＣ内部のドライブ用トランジスタのバラツキによって階調や調光には限界が生じてしまう。特に、上記各実施形態のように、電流制限抵抗４、４ａ〜４ｄを備えるような場合、パルスの立上りや立下りに時間が掛かり、例えばパルス幅制御においてパルス幅を狭めようとしてもパルスの立上りや立下りの時間を見込まなければならず、階調や調光を適切に行うことができなくなる。
【００８０】
また、車両に搭載される場合のように、昼間は周囲の外光にさらされ、また夜間やトンネル内のように周囲が真っ暗になるという特殊環境で使用する表示器において、運転者からの視認性を最適な状態にするために、昼夜の輝度を大きく変える必要があり、その場合、パルス幅制御や電流制御を行うだけでは、階調や調光性能にリニアリティがなくなる等の表示品位を悪化させる。
【００８１】
そこで、本実施形態では、上記第１〜第４実施形態で示した有機ＥＬ駆動回路に適した有機ＥＬ表示器について説明する。
【００８２】
図１１は、車両に搭載される単色の有機ＥＬ表示器における有機ＥＬパネルの数画素分（ここでは４画素分）を図示したものであり、図１１（ａ）は昼間の表示形態、図１１（ｂ）は夜間の表示形態を示し、図中ハッチングを示した部分が発光することを表している。
【００８３】
図１１に示すように、１つ１つの画素１０は、２つの異なる面積を有するサブピクセル１０ａ、１０ｂの集合体で構成されている。このサブピクセル１０ａ、１０ｂの１つ１つが上記第１〜第４実施形態に示した有機ＥＬ素子Ｅ1,1〜Ｅ4,4の１つ１つに相当するもので、サブピクセル１０ａ、１０ｂの１つ１つが独立して発光可能な構成とされている。
【００８４】
このような有機ＥＬ表示器を用いれば、各画素は、サブピクセル１０ａ、１０ｂのうちの１つのみを発光させる場合と双方を発光させる場合とで異なる輝度を得ることができるため、サブピクセル１０ａ、１０ｂのうちのどれを発光させるかにより、階調や調光を行うことが可能となる。
【００８５】
特に、有機ＥＬ表示器が車両に搭載されるようなものであれば、昼夜で周辺の明るさが大きく変化することになるが、本実施形態のようにサブピクセル１０ａ、１０ｂの発光させ方を変えるだけで、容易に階調や調光を行える。
【００８６】
したがって、本実施形態の有機ＥＬ表示器により、階調や調光を適切に行うことができ、表示品質の悪化を防止することが可能となる。
【００８７】
なお、本実施形態のような有機ＥＬ表示器を駆動するに当たり、有機ＥＬ表示器の周辺の明るさに関する情報を制御回路３に入力することで、制御回路３による発光画素選択を有機ＥＬ表示器の周辺の明るさに応じて行うことが可能となる。例えば、有機ＥＬ表示器の周辺の明るさに関する情報として、車両ヘッドランプスイッチのオンオフ信号を制御回路３に入力すれば、有機ＥＬ表示器により昼夜に応じた表示を行うことが可能となる。
【００８８】
（第６実施形態）
本発明の第６実施形態について説明する。図１２は、本実施形態の単色の有機ＥＬ表示器における有機ＥＬパネルの数画素分（ここでは４画素分）を図示したものであり、図１２（ａ）は昼間の表示形態、図１２（ｂ）は夜間の表示形態を示し、図中ハッチングを示した部分が発光することを表している。
【００８９】
本実施形態は、上記第５実施形態に対して、サブピクセルの数を変更したものである。その他の構成に関しては第５実施形態と同様であるため、第５実施形態と異なる部分についてのみ説明する。
【００９０】
図１２に示されるように、１つ１つの画素は、大中小３つの面積を有するサブピクセル１０ａ、１０ｂ、１０ｃの集合体で構成されている。このサブピクセル１０ａ、１０ｂ、１０ｃの１つ１つが上記第１〜第４実施形態に示した有機ＥＬ素子Ｅ1,1〜Ｅ4,4の１つ１つに相当するもので、サブピクセル１０ａ、１０ｂ、１０ｃの１つ１つが独立して発光可能な構成とされている。
【００９１】
このような有機ＥＬ表示器を用いれば、各画素は、サブピクセル１０ａ、１０ｂ、１０ｃのうちの１つのみを発光させる場合とすべてを発光させる場合とで異なる輝度を得ることができるため、サブピクセル１０ａ、１０ｂ、１０ｃのうちのどれを発光させるかにより、階調や調光を行うことが可能となる。このように、サブピクセル１０ａ、１０ｂ、１０ｃの数を増やしても、上記第５実施形態と同様の効果を得ることができる。
【００９２】
（第７実施形態）
本発明の第７実施形態について説明する。図１３は、本実施形態の有機ＥＬ駆動回路の概略構成を示した図である。本実施形態は、上記第１実施形態に対して、電流制限抵抗４を介してＧＮＤに接続されるラインに加えて、もう一つ、電流制限抵抗４を介さずにＧＮＤに接続されるラインを追加したものである。その他の構成に関しては第１実施形態と同様であるため、第１実施形態と異なる部分についてのみ説明する。
【００９３】
図１３に示すように、本実施形態では各走査電極選択スイッチＲＳ1〜ＲＳ4が三点接触スイッチとされており、そのうちの１つの固定接点が電流制限抵抗４を介さずにＧＮＤに接続されるラインに繋がっている。
【００９４】
上述したように、電流制限抵抗４を備えることでサージ電流のピーク値を抑制することが可能になるが、電流制限抵抗４を備えたことにより、パルスの立上りや立下りに時間が掛かることになる。このため、パルスの立上りや立下りの時間を短時間にしたい場合には、走査電極選択スイッチＲＳ1〜ＲＳ4にて走査電極Ｒｏｗ1〜Ｒｏｗ4が直接ＧＮＤに接続されるようにすれば良い。
【００９５】
（他の実施形態）
上記第１〜第４実施形態では、電流制限手段として電流制限抵抗４、４ａ〜４ｄを例に挙げて説明したが、電流制限手段として他のものを適用しても良い。例えば、上記第１〜第４実施形態で示した電流制限抵抗４、４ａ〜４ｄを図１４（ａ）、（ｂ）に示すようなインダクタ５に置換しても構わない。
【００９６】
また、上記第５、第６実施形態で、有機ＥＬ表示器における有機ＥＬパネルでの表示例を示したが、これらに限るものではない。具体的には、昼間と夜間とで発光させるサブピクセル１０ａ、１０ｂ、１０ｃの総面積を変え、昼間の方が夜間よりも総面積が多くなるようにすれば良い。
【００９７】
例えば、第５実施形態に示した有機ＥＬパネルの場合における昼間の表示形態と夜間の表示形態をそれぞれ図１５（ａ）、（ｂ）に示す。この図に示されるように、昼間は面積の大きなサブピクセル１０ａのみを発光させ、夜間は面積が小さなサブピクセル１０ｂのみを発光させる形態とすることができる。
【００９８】
勿論、これらの実施形態で示したサブピクセルの数は単なる一例であり、１つ１つの画素を３個以上のサブピクセルで構成することも可能である。また、上記実施形態では単色の有機ＥＬ表示器を例に挙げたが、カラーの有機ＥＬ表示器に対しても本発明を適用することができる。ただし、カラーの有機ＥＬ表示器の場合、サブピクセルの数が非常に多くなるため、有機ＥＬ駆動回路の回路構成が複雑なものとなる。このため、単色とするのが好ましい。
【図面の簡単な説明】
【００９９】
【図１】本発明の第１実施形態における有機ＥＬ駆動回路の概略構成を示した回路図である。
【図２】図１に示した有機ＥＬ駆動回路のリセット前状態の作動を示した図である。
【図３】図１に示した有機ＥＬ駆動回路のリセット開始状態の作動を示した図である。
【図４】図１に示した有機ＥＬ駆動回路のリセット期間中の作動状態を示した図である。
【図５】図１に示した有機ＥＬ駆動回路のリセット解除状態の作動状態を示した図である。
【図６】図２〜図５の作動を行う場合における走査電極Ｒｏｗ1、Ｒｏｗ2、データ電極Ｃｏｌ1、Ｃｏｌ2およびデータ電極Ｃｏｌ3、Ｃｏｌ4の電圧波形を示したタイミングチャートである。
【図７】リセット前状態からリセット解除状態に至る一連のタイミングにおける走査電極Ｒｏｗ1〜Ｒｏｗ4およびデータ電極Ｃｏｌ1〜Ｃｏｌ4の電位と走査電極Ｒｏｗ1〜Ｒｏｗ4に流れる電流の関係を示したタイミングチャートである。
【図８】本発明の第２実施形態の有機ＥＬ駆動回路における走査電極駆動回路２のみを示した図である。
【図９】本発明の第３実施形態の有機ＥＬ駆動回路における走査電極駆動回路２のみを示した図である。
【図１０】本発明の第４実施形態の有機ＥＬ駆動回路における走査電極駆動回路２のみを示した図である。
【図１１】本発明の第５実施形態に示す単色の有機ＥＬ表示器における有機ＥＬパネルの数画素分の拡大図である。
【図１２】本発明の第６実施形態に示す単色の有機ＥＬ表示器における有機ＥＬパネルの数画素分の拡大図である。
【図１３】本発明の第７実施形態の有機ＥＬ駆動回路の概略構成を示した図である。
【図１４】他の実施形態で示す有機ＥＬ駆動回路の概略構成を示した図である。
【図１５】本発明の第５実施形態に示す単色の有機ＥＬ表示器における有機ＥＬパネルの数画素分の拡大図である。
【図１６】従来の有機ＥＬ駆動回路のリセット前状態の作動を示した図である。
【図１７】従来の有機ＥＬ駆動回路のリセット開始状態の作動を示した図である。
【図１８】従来の有機ＥＬ駆動回路のリセット期間中の作動状態を示した図である。
【図１９】従来の有機ＥＬ駆動回路のリセット解除状態の作動状態を示した図である。
【図２０】図１６〜図１９の作動を行う場合における走査電極Ｒｏｗ1、Ｒｏｗ2、データ電極Ｃｏｌ1、Ｃｏｌ2およびデータ電極Ｃｏｌ3、Ｃｏｌ4の電圧波形を示したタイミングチャートである。
【図２１】リセット前状態からリセット解除状態に至る一連のタイミングにおける走査電極Ｒｏｗ1〜Ｒｏｗ4およびデータ電極Ｃｏｌ1〜Ｃｏｌ4の電位と走査電極Ｒｏｗ1〜Ｒｏｗ4に流れる電流の関係を示したタイミングチャートである。
【符号の説明】
【０１００】
１…データ電極駆動回路、１ａ…電源、２…走査電極駆動回路、２ａ…電源、
３…制御回路、４、４ａ〜４ｄ…電流制限抵抗、５…インダクタ、
Ｅ1,1〜Ｅ4,4…有機ＥＬ素子、Ｃ1,1〜Ｃ4,4…寄生容量、ＣＣ1〜ＣＣ4…定電流源、
ＣＳ1〜ＣＳ4…データ電極選択スイッチ、Ｃｏｌ1〜Ｃｏｌ4…データ電極、
ＲＳ1〜ＲＳ4…走査電極選択スイッチ、Ｒｏｗ1〜Ｒｏｗ4…走査電極。
【図１】
2007093729.tif 000003
【図２】
2007093729.tif 000004
【図３】
2007093729.tif 000005
【図４】
2007093729.tif 000006
【図５】
2007093729.tif 000007
【図６】
2007093729.tif 000008
【図７】
2007093729.tif 000009
【図８】
2007093729.tif 000010
【図９】
2007093729.tif 000011
【図１０】
2007093729.tif 000012
【図１１】
2007093729.tif 000013
【図１２】
2007093729.tif 000014
【図１３】
2007093729.tif 000015
【図１４】
2007093729.tif 000016
【図１５】
2007093729.tif 000017
【図１６】
2007093729.tif 000018
【図１７】
2007093729.tif 000019
【図１８】
2007093729.tif 000020
【図１９】
2007093729.tif 000021
【図２０】
2007093729.tif 000022
【図２１】
2007093729.tif 000023